(57)【要約】【課題】その機能を低下することなく、移動時の嵩張りをなくすことができる針金製の動物捕獲篭を提供する。【解決手段】シャッター８を上下動可能に支持する前面１、後面２、上面３、底面４、及び左右両側面５，６のそれぞれが、針金を格子状に配列した平面の組み合わせからなる動物捕獲篭において、前面１の底辺と底面４の前辺、後面２の底辺と底面４の後辺、左側面５の底辺と底面４の左辺、左側面５の上辺と上面３の左辺、右側面６の底辺と底面４の右辺、及び右側面６の上辺と上面３の右辺とを、それぞれ折り曲げ自在に連結し、前面１、後面２、上面３及び左右両側面５，６が、底面４上に重なるように折り畳み可能とした。【選択図】図１
0003171506.tif 000002
【実用新案登録請求の範囲】
【請求項１】
シャッターを上下動可能に支持する前面、後面、上面、底面、及び左右両側面のそれぞれが、針金を格子状に配列した平面の組み合わせからなる動物捕獲篭において、
前面の底辺と底面の前辺、後面の底辺と底面の後辺、左側面の底辺と底面の左辺、左側面の上辺と上面の左辺、右側面の底辺と底面の右辺、及び右側面の上辺と上面の右辺とが、それぞれ折り曲げ自在に連結され、
前面、後面、上面及び左右両側面が、底面上に重なるように折り畳み可能である動物捕獲篭。
【請求項２】
上面の左右方向の幅が、底面の左右方向の幅より小さく、前面側から見た外郭形状が台形をなす請求項１に記載の動物捕獲篭。
【請求項３】
前面及び後面の上部にそれぞれ固定用フックが設けられ、これらの固定用フックは、それぞれ上面の前辺及び後辺に引っ掛け及び取り外しができるように上下動可能である請求項１又は２に記載の動物捕獲篭。
【請求項４】
エサ掛け用フックが上面に揺動可能に吊り下げられており、このエサ掛け用フックを上面に沿うように保持する保持部を上面に設けた請求項１〜３のいずれかに記載の動物捕獲篭。
【請求項５】
シャッターの上部にシャッターロックが前後方向に揺動可能に設けられ、このシャッターロックは、シャッターが落下すると、その自重により前面に引っ掛かるように形成されている請求項１〜４のいずれかに記載の動物捕獲篭。
【考案の詳細な説明】
【技術分野】
【０００１】
本考案は、有害動物、特にネズミ、野ウサギ、アライグマ、イタチ、テン等の小中程度の大きさの野生動物の捕獲に適した動物捕獲篭に関する。
【背景技術】
【０００２】
従来、狸、猪などの野生の有害動物の捕獲篭として、例えば特許文献１に記載のように、比較的大きい番線の針金（棒鋼）で作製したものがある。
【０００３】
この針金によって作製された捕獲篭は、針金そのものが加工しやすく、比較的軽量にでき、組立てが容易であるために、罠その他の種々の機能を容易に付加できるという利点がある。
【先行技術文献】
【特許文献】
【０００４】
【特許文献１】特開２００５−５２００５号公報
【考案の概要】
【考案が解決しようとする課題】
【０００５】
野生動物によっては、その移動範囲が定まらず、捕獲位置を頻繁に変える必要がある。この捕獲位置を変えるためには、捕獲篭も移動させる必要が頻繁に生じる。
【０００６】
このような必要に際して、上記特許文献１に記載された針金製の捕獲篭は全体重量が比較的軽いことから、これを移動用としても利用することが試みられた。しかしながら、針金製の捕獲篭は、軽いということの裏腹に嵩張るということから、移動が困難であり現場での対応に不便があるという欠点がある。
【０００７】
本考案が解決しようとする課題は、その機能を低下することなく、移動時の嵩張りをなくすことができる針金製の動物捕獲篭、特に小中程度の大きさの野生動物の捕獲に適した捕獲篭を提供することにある。
【課題を解決するための手段】
【０００８】
本考案の動物捕獲篭は、シャッターを上下動可能に支持する前面、後面、上面、底面、及び左右両側面のそれぞれが、針金を格子状に配列した平面の組み合わせからなる動物捕獲篭において、前面の底辺と底面の前辺、後面の底辺と底面の後辺、左側面の底辺と底面の左辺、左側面の上辺と上面の左辺、右側面の底辺と底面の右辺、及び右側面の上辺と上面の右辺とが、それぞれ折り曲げ自在に連結され、前面、後面、上面及び左右両側面が、底面上に重なるように折り畳み可能であることを特徴とする。
【考案の効果】
【０００９】
本考案の動物捕獲篭は、前面、後面、上面及び左右両側面が、底面上に重なるように折り畳み可能であるので、折り畳みによって持運び輸送が楽になり、また、収納容積が小さくなり収納場所が少なくて済む。
【００１０】
組立て使用に際しては、組立てのための部品が必要ではなく、また、組立てが短時間で済み現場での仕掛けも簡単にできる。
【図面の簡単な説明】
【００１１】
【図１】本考案の一実施例による動物捕獲篭を組立てた状態を示す。
【図２】図１においてシャッターを上昇させた状態を簡略化して示す。
【図３】シャッター落下する過程を示す。
【図４】図１の動物捕獲篭を折り畳む際に、前面及び後面の固定用フックを外した状態を示す。
【図５】図１の動物捕獲篭を折り畳む過程で、前面及び後面を底面上に折り畳んだ状態を示す。
【図６】図１の動物捕獲篭を折り畳む過程を示す。
【考案を実施するための形態】
【００１２】
以下、図面に示す実施例に基づき、本考案の実施の形態を説明する。
【実施例】
【００１３】
図１は、本考案の実施例による動物捕獲篭を組立てた状態を示す。図２は、図１においてシャッターを上昇させた状態を簡略化して示す。
【００１４】
図１及び２に示す捕獲篭の本体は、前面１、後面２、上面３、底面４、及び左右両側面５，６の６面からなり、前面側から見た外郭形状が台形をなす。その大きさは、幅＝（上底部分：２４０ｍｍ、下底部分＝２９０ｍｍ）、高さ＝２９０ｍｍ、長さ＝６５０ｍｍである。
【００１５】
前面１、後面２、上面３、底面４、及び左右両側面５，６は、それぞれ針金（１２番の番線、直径２．６ｍｍ）を格子状に配列した平面の組み合わせからなり、前面１の底辺と底面４の前辺、後面２の底辺と底面４の後辺、左側面５の底辺と底面４の左辺、左側面５の上辺と上面５の左辺、右側面６の底辺と底面４の右辺、及び右側面６の上辺と上面３の右辺とが、それぞれ折り曲げ自在に連結されている。なお、本実施例において底面４は、その左辺及び右辺が若干立ち上がるような形状に形成されており、この立ち上がった底面４の左辺及び右辺に、左側面５の底辺及び右側面６の底辺がそれぞれ折り曲げ自在に連結されている。
【００１６】
具体的には上記各辺は、図２に符号７で示すように、一方の辺の先端の針金を折り曲げて他方の辺を囲むように連結することで、折り曲げ自在に連結されている。すなわち、連結部７は、各面（各辺）を構成する針金どうしの連結で構成されている。折り曲げ自在に連結するための構成は上記構成に限らず、例えば蝶番等の他の部材を使用しても良いが、他の部材を必要としない上記構成が簡単で好ましい。
【００１７】
前面１には、シャッター８が上下動可能に支持されている。シャッター８は、前面１と同じく針金（１２番の番線、直径２．６ｍｍ）を格子状に配列した平面からなる。シャッター８の上端には、シャッターロック９が前後方向に揺動可能に取り付けられている。
【００１８】
前面１及び後面２の上部には、それぞれ固定用フック１０，１１が設けられている。これらの固定用フック１０，１１は門型に形成され、それぞれ前面１及び後面２に沿って上下動可能に取り付けられている。固定用フック１０，１１は、これらを上下動させることにより、その先端のフック部１０ａ，１１ａが、それぞれ上面３の前辺及び後辺に引っ掛け及び取り外しができるように形成されている。
【００１９】
上面３には、エサ掛け用フック１２が前後左右に揺動可能に吊り下げられている。具体的には図２に表れているように、エサ掛け用フック１２の基端部１２ａを、上面３を構成する針金３ａを囲むように折り曲げることで、エサ掛け用フック１２が上面３に前後左右に揺動可能に吊り下げられている。また、エサ掛け用フック１２の基端部１２ａには、仕掛けロッド１３の基端が連結されている。仕掛けロッド１３は、その基端がエサ掛け用フック１２の基端部１２ａに連結された状態で、上面３の針金３ａに沿って前後方向にスライド可能に上面３に取り付けられている。また、エサ掛け用フック１２の中途部１２ｂと上面３の針金３ａとの間にはＬ字状の連結ロッド１４が配置されている。連結ロッド１４の基端は上面３の針金３ａに前後方向にスライド可能に取り付けられ、連結ロッド１４の先端はエサ掛け用フック１２の中途部１２ｂに連結されている。
【００２０】
上面３には、エサ掛け用フック１２を上面３に沿うように保持する保持部１５が設けられている。この保持部１５は、基端を上面３の針金に固定したロッドからなり、このロッドと上面３との間でエサ掛け用フック１２の先端部を挟み込むことで、エサ掛け用フック１２を上面３に沿うように保持する。
【００２１】
以上の構成において、野生動物を捕獲する際には、図２に示すようにシャッター８を上昇させた状態に保持する。すなわち、仕掛けロッド１３を前進させて、その先端１３ａがシャッター８より前方に突出するようにし、この仕掛けロッド１３の先端１３ａに、シャッター８を構成する左右方向の針金８ａを引っ掛けることで、シャッター８を上昇させた状態に保持する。この状態で、野生動物が捕獲篭内に侵入し、エサ掛け用フック１２に取り付けたエサを咥えて捕獲篭から出ようとすると、エサ掛け用フック１２の先端部分が前方に引っ張られ、これに伴いエサ掛け用フック１２の基端部分が後方に移動し、仕掛けロッド１３が後退する。その結果、仕掛けロッド１３の先端１３ａとシャッター８の針金８ａとの引っ掛かりが外れ、シャッター８が自重により落下して前面１の開口部を閉じる。このとき、シャッター８の上端に取り付けられたシャッターロック９は、図３に示すように、シャッター８の落下の途中で前面１の開口部上側において左右に配置された針金１ａと擦れ合うことで、一旦、前方に揺動し（図３（ｂ））、前面１の針金１ａを過ぎると、自重により後方に揺動し、前面１の針金１ａに引っ掛かる（図３（ｃ））。これにより、シャッター８はロックされ、捕獲篭内の動物がシャッター８を開けようとしても開かないので、捕獲篭内に動物が捕獲される。
【００２２】
次に、本実施例による捕獲篭を折り畳む手順を説明する。その手順の過程を図４〜６に示す。
【００２３】
まず、図４に示すように、前面１及び後面２の上部にそれぞれ設けられている固定用フック１０，１１を上昇させ、上面３の前辺及び後辺との引っ掛かりを解除し、前面１及び後面２を底面４の上に重なるように捕獲篭内方に折り畳む（図５及び図６（ａ））。なお、図５では、前面１に支持されているシャッターは省略している。次に、エサ掛け用フック１２を保持部１５にて上面３に沿うように保持した上で（図５）、上面３及び左右両側面５，６からなる枠体を、収納用フック１６が設けられている右側に向けて倒す（図６（ｂ））。その後、左側面５を底面４側に向けて押しながら、右側面６を左側に押し戻す（図６（ｃ））。更に右側面６を左側に向けて押し、右側面６が底面４の上に重なるように折り畳む。これにより、前面１、後面２、上面３及び左右両側面５，６が、底面４の上に重なるように折り畳まれ、最後に、収納用フック１６を左側面を構成する針金に引っ掛けて、折り畳まれた状態に固定する（図６（ｄ））。この折り畳まれた状態の容積は組立て時の容積の１／６程度となり、持運び輸送が楽になり、また、収納場所が少なくて済む。
【００２４】
なお、上述の折り畳みの過程において、本実施例の捕獲篭は、上面３の左右方向の幅が底面４の左右方向の幅より小さく、前面側から見て台形をなすように形成されているので、上述の要領で上面３及び左右両側面５，６からなる枠体を底面４の上に重なるように折り畳む際に、底面４の左右方向の幅に余裕があるので、支障なく折り畳むことができる。また、底面４は、上述のとおり、その左辺及び右辺が若干立ち上がるような形状に形成されており、この立ち上がった底面４の左辺及び右辺に、左側面５の底辺及び右側面６の底辺がそれぞれ折り曲げ自在に連結されているので、前面１及び後面２を底面４の上に重なるように折り畳んだ後においても、底面４に対して左右両側面５，６を問題なく折り曲げることができる。
【００２５】
次に、図６（ｄ）のように折り畳まれた捕獲篭を展開して組立てる手順を説明する。まず、図６に示した手順と逆の手順で、上面３及び左右両側面５，６からなる枠体を立ち上げて図５及び図６（ａ）の状態とする。次に、エサ掛け用フック１２を保持部１５から外し、上面３に吊り下げた状態とした上で、前面１及び後面２を引き起こす。前面１及び後面２が垂直に立ち上がる前に、それぞれ固定用フック１０，１１を引き上げる。そして、固定用フック１０，１１を引き上げたままで前面１及び後面２を垂直に立ち上げ、固定用フック１０，１１を押し下げる。これにより、固定用フック１０，１１がそれぞれ上面３の前辺及び後辺に引っ掛かり、前面１及び後面２は垂直に立ち上がった状態に固定される。これにより、図１の組立て状態となる。野生動物を捕獲する際には、上述のように、シャッター８を上昇させ、仕掛けロッド１３の先端１３ａにシャッター８を引っ掛けることで、図２の状態とする。このように、本考案の捕獲篭は、組立て使用に際して、組立てのための部品が必要ではなく、また、組立てが短時間（約３０秒）で済み現場での仕掛けも簡単にできる。
【符号の説明】
【００２６】
１  前面
２  後面
３  上面
４  底面
５  左側面
６  右側面
７  各面の連結部分
８  シャッター
９  シャッターロック
１０，１１  固定用フック
１０ａ，１１ａ  フック部
１２  エサ掛け用フック
１３  仕掛けロッド
１４  連結ロッド
１５  保持部
【図１】
0003171506.tif 000003
【図２】
0003171506.tif 000004
【図３】
0003171506.tif 000005
【図４】
0003171506.tif 000006
【図５】
0003171506.tif 000007
【図６】
0003171506.tif 000008